(57)【特許請求の範囲】
【請求項１】
乗物座席の設定可能な部分に割り当てられた複数の制御エレメントを有する制御パネルによって乗物座席の位置パラメータを設定するための切替え装置であって、切替え装置における制御エレメントの位置および／または作動方向が、乗物座席における関連部分の位置および／または調節方向に関係しているものにおいて、切替え装置における制御エレメント（ＢＫＳ、ＢＳＫ、・・・）の相互位置および／または作動方向が、乗物座席を正面から見たときに、乗物座席のそれぞれの関連部分（ＫＳ、ＳＫ、・・・）の相対位置および／または調節方向に質的に対応すること、および、複数の制御エレメント（ＢＡＲ、ＢＡＬ）が、自動車の縦方向に対して横断方向に配置された関連する複数の座席部分（ＡＬＲ、ＡＬＬ）をまねるように前記制御パネルに配置されていることを特徴とする装置。
【請求項２】
乗物座席の設定可能な部分に割り当てられた複数の制御エレメントを有する制御パネルによって乗物座席の位置パラメータを設定するための切替え装置であって、切替え装置における制御エレメントの位置および／または作動方向が、乗物座席における関連部分の位置および／または調節方向に関係しているものにおいて、切替え装置における制御エレメント（ＢＫＳ、ＢＳＫ、・・・）の相互位置および／または作動方向が、乗物座席を正面から見たときに、乗物座席のそれぞれの関連部分（ＫＳ、ＳＫ、・・・）の相対位置および／または調節方向に質的に対応すること、および、制御エレメント（ＢＫＳ、ＢＳＫ、・・・）が支持体（Ｔ）の上に配置されて、この支持体が、支持体としては少なくとも一方向（ＶＬＳ、ＶＨＳ）に転置されることが可能であり、この転置中に乗物座席全体が空間的に明確に割り当てられている調節方向に調節されるようにすることを特徴とする装置。
【請求項３】
制御エレメントを有する制御パネルが走行方向に前方に向けて方向付けされていることを特徴とする請求項１または２に記載の装置。
【請求項４】
制御パネルが自動車の移動方向に向かって凸状に湾曲している輪郭を有することを特徴とする請求項１〜３の１つに記載の装置。
【請求項５】
肘掛け（ＡＬ）の手持ち端部に固定されていることを特徴とする請求項１〜４の１つに記載の装置。
【請求項６】
支持体（Ｔ）が、乗物座席の縦方向位置を設定するために、第１方向（ＶＬＳ）に作動可能であることを特徴とする請求項２に記載の装置。
【請求項７】
支持体（Ｔ）が、座席の高さを設定するために、第２方向（ＶＨＳ）に作動可能であることを特徴とする請求項２または６に記載の装置。
【請求項８】
支持体が、背もたれ（ＲＬ）の傾斜を設定するために、本質的に水平軸の周りに支持体を傾斜させる（ＶＮＬ）ことによって、作動可能であることを特徴とする請求項２、６または７に記載の装置。
【請求項９】
座席クッションの傾斜と座席の深さが、２つの異なる方向（ＶＴＫ、ＶＮＫ）に作動可能である共通の制御エレメント（ＢＳＫ）によって設定することができることを特徴とする請求項１〜８の１つに記載の装置。
【請求項１０】
２つの肘掛け（ＡＬＲ、ＡＬＬ）を個別に設定するための２つの個別制御エレメント（ＢＡＲ、ＢＡＬ）が設けられていることを特徴とする請求項１〜９の１つに記載の装置。
【発明の詳細な説明】
【０００１】
本発明は、請求項１における前提部分に記載の乗物座席の位置パラメータを設定するための切替え装置に関する。
【０００２】
ＤＥ２８３６００４Ｃ２は、２つのレバーを有する作動配置が自動車座席の横輪郭をまねて、レバーの１つは背もたれのために設計されて、背もたれの傾斜を調節するために軸の周りに旋回することができ、他の１つの作動レバーは座席表面の設定オプションに従って座席表面を調節するためのいくつかの作動オプションを有する自動車座席を調節するための装置を開示している。ＤＥ３９３３５６１Ｃ１は、自動車座席の横輪郭がフレームとしてさらに規定され、このフレームの内部にいくつかの作動エレメントがまねられたフレームの中の位置に配置され、これらの位置は自動車座席の調節可能部分に対応し、座席の個別部品の調節オプションに意味ある類似で作動できる、自動車座席を調節するためのサーボモータを制御する制御装置を開示している。
【０００３】
本発明の目的は、自動車座席を設定するための改善された切替え装置を規定することである。
【０００４】
本発明は請求項１に記載されている。従属請求項は、本発明の有利な改良と展開を含む。
【０００５】
本発明によれば、設定された目的を達成するための２つの有利な手法が提供され、これらの手法は共に実施される。
【０００６】
本発明による第１の方策では、それぞれ乗物座席の異なる調節機能に割り当てられる複数の制御エレメントの相互位置および／または作動方向に対して、質的に、すなわち座席の外形を尺度に忠実に引き継ぐことなく、乗物座席を正面から、水平に、または上から斜めに見たときに、それぞれの調節機能によって作用される乗物座席の各部分の相対位置および／または調節方向をまねるようにする。
【０００７】
特に、乗物座席を正面から見たときに座席の中央面に対して少なくともほぼ対称的に設計または配置された座席部分に対して、制御パネルを通じて中央面に対して対称的な方式における関連する制御エレメントの設計または配置によってシミュレートされるようにする。したがって切替え装置は、自動車の縦方向に対して横断方向に乗物座席の幾何学的分割を考慮する。
【０００８】
驚くべきことに従来の技術による座席側部輪郭をシミュレートすることとは異なるこの形式の空間的三次元配置は、自動車座席の所与の調節機能を直覚的により便利かつ高い信頼性で制御することを可能にすることが分かった。したがって、これらの機能の制御は必要な傾注力を少なくし、道路上の出来事から運転者を逸らす度合も減らす。
【０００９】
複数の制御エレメントを有する制御パネルは、走行方向に見て前向きに面するように方向付けられており、したがって運転者の前腕はリラックスした状態で前方に向いており、運転者は容易にその手を制御パネルの上に置くことができ、指で制御エレメントを作動させることができるのは有利である。制御パネルまたは制御エレメント群包囲表面の、制御パネルの制御側に向かって凸状に湾曲した輪郭による凸状に湾曲した設計は、特に有利であり、リラックスした姿勢を提供する。切替え装置を座席の前方に向いた区画に、例えば座席クッションの前縁部領域に、または特に肘掛けの前方に向いた端部に固定することは、特に好ましい。
【００１０】
もう１つの有利な手法によれば、制御パネルの複数の制御エレメントが支持体の上に配置されており、この支持体は、支持体としては少なくとも一方向に転置されることが可能で、この転置中に乗物座席全体が空間的に明白に割り当てられている調節方向に調節されるようにする。この形式の追加作動オプションが、特に有利な方法で、切替え装置の直覚的作動のために、また特に好ましい方法で自動車の縦方向における座席全体の転置のために、および／または座席の高さ調節のために、および／または背もたれの傾斜調節のために使用される。
【００１１】
本発明を、好ましい例示的な実施形態を使用し図面を参照して、以下に詳しく説明する。
【００１２】
図３は、自動車の縦方向に見た自動車の運転席の斜視態様である。本発明による切替え装置をさらに説明するために、乗物座席の主要部分、すなわち座席クッションＳＫ、右の肘掛けＡＬＲおよび左の肘掛けＡＬＬ、背もたれＲＬ、およびシート枕ＫＳの相対位置について言及するが、特に重要なことは、自動車の縦方向に見て、背もたれは座席クッションの上に位置し、シート枕は背もたれの上に位置し、肘掛けは座席クッションの上で座席クッションの左右、かつシート枕の下に位置することである。左側の肘掛けＡＬＬの代わりに、ドア・パネルの中に統合された肘掛けを設けることもできる。
【００１３】
シート枕ＫＳは、背もたれＲＬに対して方向ＥＫＳに高さを調節することができる。背もたれＲＬは、座席クッションに対して、または自動車床に対して旋回運動ＥＫＬの経路において、その下端に取り付けられたベアリングの周りに傾斜を調節することができる。肘掛けＡＬは、図３の投影平面に対して本質的に直角に走る旋回方向ＥＫＡに旋回することができ、背もたれ側における肘掛けの端部領域において、水平旋回ピンに取り付けられている。座席クッションＳＫは、背もたれに対して方向ＥＴＫに縦方向に転置することができ、この結果、座席クッションの前縁部と背もたれＲＬとの間の座席深さは変化し、図３の投影平面に対して本質的に直角に走る旋回方向ＥＮＫによって示されるように水平軸の周りに旋回することによって、傾斜を調節することができる。その上、座席全体の、自動車床からの高さおよび自動車の縦方向における位置を転位させることができる。
【００１４】
本発明による切替え装置を取り付けるための有利な位置も、図３に記載されている。切替え装置は、例えば都合よく背もたれの上部領域における位置ＰＬ１またはＰＬ２、座席クッションの前縁部領域における中央のＰＳ３または横のＰＳ１またはＰＳ２、もしくは自動車の中央コンソール上におけるＰＭ、または好ましくは肘掛けの手持ち端部におけるＰＡ１またはＰＡ２に設けることができる。図１および図２に図示された切替え装置は、普遍性を制限することなく、肘掛けの端部においてＰＡ１とＰＡ２に取り付けて設けられる。
【００１５】
図１に図示する切替え装置の場合には、支持体Ｔが肘掛けＡＬの手持ち端部に配置され、前記支持体は、際立って自動車の移動方向に前方に面する好ましく凸状に湾曲した制御パネルに、複数の制御エレメントを有する。例えば、背もたれに対するシート枕の高さを調節するための制御エレメントＢＫＳを、制御パネルの上部領域に設けることができる。制御エレメントＢＫＳを、作動方向ＶＫＳにおいて双方向に作動させることができる。作動方向は少なくとも近似的に自動車の縦軸に平行な垂直平面にあって、際立って垂直方向または水平方向または組み合わせた方式で方向付けられるが、これはその点における制御パネルの曲率の傾斜によって変る。
【００１６】
座席クッションＳＫを調節するための制御エレメントＢＳＫは、制御パネルの下部領域に配置されている。制御エレメントは各々が双方向である２つの作動方向を有することが好ましく、すなわち座席クッションの傾斜を調節するための垂直方向のＶＮＫ、および座席クッションの座席の深さを調節するための水平方向のＶＴＫである。垂直作動方向ＶＮＫは、特に制御エレメントを傾斜させることによってもたらすことができ、水平作動方向は制御エレメントの直線転置の形で存在する。制御パネルの外部で制御エレメントを移動するために特に、制御エレメントＢＳＫの本体に、握り易い設計の側部表面、または制御エレメントを確実に握ることを可能にする横切欠きを設けることができる。
【００１７】
肘掛けの傾斜の調節するための２つの制御エレメントＢＡＲ、ＢＡＬが、座席クッションとシート枕との間の区画における肘掛けＡＬＲおよびＡＬＬの配置に対応して、制御パネルにおける制御エレメントＢＳＫとＢＫＳとの間に垂直方向に配置されており、前記２つの制御エレメントＢＡＲ、ＢＡＬを、肘掛けの調節移動ＥＫＡの明白な制限内で、本質的に垂直の作動方向ＶＡＲまたはＶＡＬに移動することができる。
【００１８】
特に制御エレメントＢＡＲ、ＢＡＬ、ＢＫＳの垂直作動の代わりに、制御表面の中で垂直方向に比較的大きな範囲を有し、制御表面を僅かに越える突出部を有し、上端部または下端部にかける圧力によってそれぞれ制御表面の方向に作動されることになる、制御エレメントの設計を提供することもできる。
【００１９】
概説した例では、背もたれＲＬのためには制御パネルの中に制御エレメントは設けられていない。概説した例では、調節方向ＥＫＬにおける背もたれの傾斜の設定はむしろ、図１における傾斜方向ＶＮＬによって示される水平傾斜軸の周りに支持体Ｔを傾けることによって行われる。
【００２０】
支持体をさらに、肘掛けに対して水平転置方向ＶＬＳに転置することができ、支持体はこの過程において乗物座席全体を自動車の縦方向に移動させる。さらに、支持体を肘掛けに対して垂直転置方向ＶＨＳに転置することができ、支持体はこの過程において乗物座席全体の自動車床からの高さを調節する。
【００２１】
図２は、本発明による切替え装置のさらに別の有利な設計を示す略図であるが、これは原則的に、示された略図の例では、乗物座席の形状にさらに近く関連した制御エレメントの特殊な形状でのみ表現されている。可能な作動方向におけるさまざまな制御エレメントの作動オプションに関する記号は、図１の説明に類似してそれぞれ適用される。図２の設計の場合には、図１による設計とは異なり、そこで同時に調節される両肘掛けの調節用に、１つの作動エレメントＢＡだけが設けられる。
【００２２】
支持体と制御パネルの設計および制御エレメントの詳細な配置のために、多くの設計オプションが提供される。例えば、背もたれを旋回させるための制御エレメントも制御パネルに設けることができ、この場合、特に図２による設計では、例えば背もたれの傾斜を調節するための中央制御エレメントを、肘掛けの中央制御エレメントの代わりに、この個所に設けることができ、また肘掛けを個別にまたは一緒に調節するための追加制御エレメントが、この背もたれ傾斜用の制御エレメントに対して横方向に置かれる。
【００２３】
上に明記した特徴、請求項における特徴、および図から集めることができる特徴を、個別にまたはさまざまな組合せによって有利にも実現することができる。本発明は説明された例示的実施形態に制限されるものではなく、専門家の能力の範囲内で様々な方式で変更されることが可能である。
【図面の簡単な説明】
【図１】  切替え装置の第１実施形態を示す図である。
【図２】  切替え装置の第２実施形態を示す図である。
【図３】  本発明による切替え装置の有利な位置を示す図である。
【図１】
0003715278.tif 000002
【図２】
0003715278.tif 000003
【図３】
0003715278.tif 000004